(57)【要約】【課題】アオリ板の上縁部と略同一高に踏板を安定して位置づける荷台用足場を実現する。【解決手段】荷台用足場１は踏板１０、踏板支持部２０、上部引掛け部２１を備え、踏板１０は一の長辺部１０１が踏板支持部２０の上端部２０１と連結し、踏板支持部２０は踏板１０の上面１０ｓと直交し下端部２０２が踏板１０の下側に配設され、上部引掛け部２１は踏板支持部２０の上端部２０１から踏板１０と離間する方向に延出した水平引掛け部２１１と水平引掛け部２１１から下側に向け延出した垂直引掛け部２１２とを有し、踏板支持部２０の下端部側２０１における垂直引掛け部２１２側の面は上端部側２０１における垂直引掛け部２１２側の面と同一平面に配設され、垂直引掛け部２１２における踏板支持部２０側の面は踏板支持部２０の上端部２０１側における垂直引掛け部２１２側の面と離間している。【選択図】図１
2016078661.tif 000002
【特許請求の範囲】
【請求項１】
踏板と、踏板支持部と、上部引掛け部とを備え、
前記踏板は一の長辺部が前記踏板支持部の上端部と連結し、
前記踏板支持部は、前記踏板の上面を含む平面と略直交する方向に配設され、且つ下端部が前記踏板の下側に配設され、
前記上部引掛け部は、前記踏板支持部の上端部側から前記踏板と離間する方向に延出した水平引掛け部と、前記水平引掛け部から下側に向け延出した垂直引掛け部とを有して、前記踏板支持部の上端部側に形成されており、
前記踏板支持部の下端部側における前記垂直引掛け部側の面は、前記踏板支持部の上端部側における前記垂直引掛け部側の面を含む平面と略同一平面に配設されており、
前記垂直引掛け部における前記踏板支持部側の面は、前記踏板支持部の上端部側における前記垂直引掛け部側の面を含む平面と離間して配設されていることを特徴とする荷台用足場。
【請求項２】
前記踏板の一の長辺部に連結した前記踏板支持部は、少なくとも前記踏板の一の短辺部側および他の短辺部側にそれぞれ配設されており、
また前記踏板支持部の上端は前記踏板と略同一の位置に配設されていることを特徴とする請求項１に記載の荷台用足場。
【請求項３】
請求項１または２に記載の荷台用足場において、
前記踏板支持部の上端部側における前記垂直引掛け部側の面、
前記踏板支持部の下端部側における前記垂直引掛け部側の面、
前記上部引掛け部の垂直引掛け部における前記踏板支持部側の面、
および前記上部引掛け部の水平引掛け部における下側の面のすべてまたは何れかに、
更に緩衝部材が取付けられていることを特徴とする荷台用足場。
【請求項４】
請求項１ないし３の何れかに記載の荷台用足場において、前記踏板の前記一の長辺部と相対する他の長辺部側と前記踏板支持部の下端部側との間に介在する補強部を、さらに有することを特徴とする荷台用足場。
【請求項５】
前記補強部は三角アングルであり、前記三角アングルが有する三角形状の底辺は前記踏板の他の長辺部側と前記踏板支持部の下端部側との間に位置づけられ、前記三角形状の底辺以外の二辺のうちの一辺は前記踏板の裏面側に接続され、前記三角形状の残余の一辺は前記踏板支持部に接続されていることを特徴とする請求項４に記載の荷台用足場。
【発明の詳細な説明】
【技術分野】
【０００１】
本発明は、トラック等における荷役作業において使用する荷台用足場に関するものである。
【背景技術】
【０００２】
トラックに積み荷を積み込む際あるいは荷卸しをする際、作業員はトラックのいわゆるアオリ板を倒して荷役作業をするのが一般的だが、アオリ板を倒すことができない場合等には、アオリ板の上縁（上端）に乗って荷役作業を行わねばならない。しかしアオリ板の上縁は幅が狭く転落の危険が伴うため、足場となる踏板を有した荷台用足場（荷台用ステップ）が考案された。こうした荷台用足場は荷役作業を行う際にアオリ板に取り付け、作業が終了するとアオリ板から取り外される。
【０００３】
例えば特許文献１が開示する荷台用ステップは、アオリ板の上縁に嵌着する固定金具を上端部に形成して垂直に立ち上がる蹴上げ部材に踏み面部材（踏板）が回動自在に取り付けられたものである。この蹴上げ部材は、その上端部をアオリ板の上縁に着脱自在に固定する固定金具と、その下端部をアオリ板の外側面に当接させる緩衝片を有して、踏み面部材等とともにアオリ板に着脱自在に取り付けられるものである。
【０００４】
この蹴上げ部材をアオリ板に取り付けると、踏み面部材を蹴上げ部材の下端部を支点として踏み面部材の下端部において展開することができ、作業員はこの踏み面部材に乗って荷役作業を行うことができる。しかし、踏み面部材および補助ステップはアオリ板の上縁より低い位置に展開される結果、作業員はアオリ板の上縁より低い位置に立って荷役作業を行わねばならず、このときアオリ板は作業員の足元と荷台との間に位置して荷役作業の阻害要因となることが否めない。
【０００５】
なお、この荷台用ステップは、荷台用ステップに自在に着脱できる補助ステップを踏み面部材上に展開することで、踏み面部材とアオリ板の上縁と高低差を緩和できるが（特許文献１の図１等）、補助ステップは踏み面部材よりも小型で且つ蹴上げ部材と一体化されておらず、補助ステップに乗って荷役作業を安全に行えるとは言い難く、踏み面部材とアオリ板の上縁との高低差を緩和するものにすぎない。
【０００６】
これに対し、特許文献２が開示する荷台用ステップは、図８に示すように、垂直に立ち上がる荷重支持部１と、この荷重支持部１の上端部側に取り付けられた踏板２と、アオリ板３の上縁部の内側（荷台側）に係止する係合部４と、荷重支持部１の下端部側に配設されてアオリ板３の外側面に当接し、荷重支持部１および踏板２のアオリ板３に対する角度を調整する調整部材５とを備えたものであり、アオリ板３と略同じ高さに踏板２を展開することができ、アオリ板３が荷役作業の妨げとなることはない。
【先行技術文献】
【特許文献】
【０００７】
【特許文献１】特開平６−０２４２７３号公報
【特許文献２】特開２００６−１８２２２３号公報
【発明の概要】
【発明が解決しようとする課題】
【０００８】
しかし特許文献２が開示する荷台用ステップをアオリ板３に取り付けた場合には、図８に示すように、荷重支持部１の上端部側と、アオリ板３の上縁部の外側面との間に空隙Ｓが生じるため、荷重支持部１の上端部側はアオリ板３と直交する方向（図８中、矢印Ｈ方向）に移動可能の状態となる。
【０００９】
しかも空隙Ｓは、調整部材５の頭部５aを荷重支持部１の表面（係合部４側の面）から突出させたことによって生じるものであり、調整部材５は、荷重支持部１とアオリ板３との空隙Ｓを拡幅して、踏板２の水平移動を生じやすくする。
【００１０】
例えば足場に立った作業員の動きや姿勢によって、作業員の足に踏板２を水平移動させる力が発生した場合、この力は、調整部材５の頭部５aを支点とする荷重支持部１の上端部を水平移動させるように作用する（荷重支持部１は梃子の棹と同様に作用して、踏板２に水平移動が生じ得る。）。こうした踏板２の水平移動は荷役作業の安全性を低下させるといえる。さらに調整部材５によってアオリ板３に対し踏板２を（図８中、矢印Ｖ方向に）持ちあげるようにした場合には、作業員の体重による力の水平方向分力が生じ得るから、なおさら水平移動が生じやすくなる。
【００１１】
そこで本発明は、アオリ板の上縁部と略同一の高さに足場となる踏板を位置づけることができ、且つ踏板の水平移動を抑制することができる荷台用足場の実現を課題とした。
【課題を解決するための手段】
【００１２】
上記課題を解決するために、本発明に係る荷台用足場は、請求項１に記載のように、踏板、踏板支持部、および上部引掛け部を備えている。ここで踏板支持部は踏板の上面を含む平面と略直交する方向に配設されており、その上端部は踏板の一の長辺部と連結し、その下端部は踏板の下側に配設されている。上部引掛け部は、踏板支持部の上端部側に形成されており、そして踏板支持部の上端部側から踏板と離れる方向に延出した水平引掛け部と、水平引掛け部から下側に向け延出した垂直引掛け部とを有している。
【００１３】
踏板支持部の下端部側における垂直引掛け部側の面（踏板支持平板部の下端部側における裏面）は、踏板支持部の上端部側における垂直引掛け部側の面（踏板支持平板部の上端部側における裏面）を含む平面と略同一平面に配設されており、また垂直引掛け部における踏板支持部側の面（垂直引掛け部の裏面）は、踏板支持部の上端部側における垂直引掛け部側の面（踏板支持平板部の上端部側における裏面）を含む平面と離間する平面に配設されている。
【００１４】
したがって、該荷台用足場をアオリ板に取り付けると、上部引掛け部の垂直引掛け部における踏板支持部側の面（垂直引掛け部の裏面）をアオリ板の内側面に当接させることができ、また少なくとも踏板支持部の下端部側における垂直引掛け部側の面（踏板支持平板部の下端部側における裏面）をアオリ板の外側面に当接させることができる。このとき踏板支持部の上端部側における垂直引掛け部側の面（踏板支持平板部の上端部側における裏面）は、アオリ板の外側面に当接するか或いはアオリ板の外側面との間に若干の空隙を生じることとなる。
【００１５】
したがって該荷台用足場をアオリ板に取り付けると、踏板はアオリ板の上縁と略同一の高さで且つアオリ板と略直交する平面に位置づけられる。
【００１６】
加えて該荷台用足場では、踏板支持部の上端部側と上部引掛け部の垂直引掛け部との間にアオリ板を略挟み込むとともに、少なくとも踏板支持部の下端部側がアオリ板の外側面と当接するから、踏板支持部および上部引掛け部とアオリ板との間のあそびを極力少なくすることができる。
【００１７】
該荷台用足場は、請求項２に記載のように、少なくとも踏板の一の短辺部側および他の短辺部側にそれぞれ踏板支持部を有することでアオリ板に安定した状態で取り付けることができ、また踏板支持部の上端を踏板の上面（作業員が立つ側の面）と略同一の位置に配設することで、踏板およびアオリ板の上縁を略同一平面上に位置づけることができ、円滑な荷役作業を実現できる。もちろん踏板支持部の構成は、上記構成に限定されず、例えば踏板の一の短辺部側、他の短辺部側、および一の短辺部側と他の短辺部側との間の３個所において踏板に連結されていてもよい。
【００１８】
該荷台用足場は、請求項３に記載のように、踏板支持部および上部引掛け部が緩衝部材を有していてもよい。例えば、踏板支持部と上部引掛け部との間隔をアオリ板の厚さよりある程度広くして、踏板支持部の上端部側における垂直引掛け部側面、踏板支持部の下端部側における垂直引掛け部側面、上部引掛け部の垂直引掛け部における踏板支持部側面、および上部引掛け部の水平引掛け部における下側面に緩衝部材を固着しておくことで、踏板支持部および上部引掛け部とアオリ板との間のあそびを極力少なくして踏板の水平移動を抑制することができ（より安全な荷役作業を実現することができ）、またアオリ板に傷がつくことを防ぐことができる。
【００１９】
該荷台用足場は、請求項４に記載のように、踏板の他の長辺部側（踏板の一の長辺部と相対する長辺部側）と踏板支持部の下端部側との間に介在する補強部をさらに有していいてもよい。かかる補強部は、踏板にかかる加重を、アオリ板と当接する踏板支持部の下端部側に伝えて該荷台用足場の耐重量性を向上させることができる。
【００２０】
この補強部は、請求項５に記載のように、例えば三角アングルで構成することができる。三角アングルが有する三角形状（典型的には直角三角形状）の底辺は、踏板の他の長辺部側と踏板支持部の下端部側との間に位置づけられ、三角形状の底辺以外の二辺のうちの一辺は踏板の裏面側と直接的または間接的に接続され（例えば溶接され）、そして三角形状の残余の一辺は踏板支持部と直接的または間接的に接続され、踏板にかかる加重をアオリ板と当接する踏板支持部に伝えることができる（該荷台用足場の耐重量性を向上させることができる。）。
【発明の効果】
【００２１】
上記構成を有する本発明に係る荷台用足場は、アオリ板の上縁部と略同一の高さに足場となる踏板を位置づけることで、また踏板の水平移動を抑制することで、安全かつ作業性のよい荷役作業を実現することができる。
【００２２】
また本発明における踏板支持部および上部引掛け部の緩衝部材は、荷台用足場におけるアオリ板との間のあそびを少なくして踏板の水平移動を抑制するとともに、安全かつ作業性のよい荷役作業を実現し、またアオリ板に傷がつくことを防止する。
【図面の簡単な説明】
【００２３】
【図１】本発明にかかる荷台用足場の斜視概略構成を説明するための図である。
【図２】図１に示す荷台用足場の平面概略構成を説明するための図である。
【図３】図１に示す荷台用足場の正面概略構成を説明するための図である。
【図４】図１に示す荷台用足場の側面概略構成を説明するための図である。
【図５】図１に示す荷台用足場の緩衝部材について説明するための図である。
【図６】図１に示す荷台用足場の補強部の概略構成について説明するための図である。
【図７】図１に示す荷台用足場の、アオリ板への取り付けについて説明するための図である。
【図８】従来の荷台用足場（荷台用ステップ）の一構成例を示す図である。
【発明を実施するための形態】
【００２４】
以下、図面を参照して本発明にかかる荷台用足場について説明する。
【００２５】
＜荷台用足場の概略構成＞
本発明にかかる作業用足場１は、図１に示すように踏板１０、踏板支持部２０、上部引掛け部２１および補強部３０Ａ、３０Ｂを備えている。
【００２６】
＜踏板＞
踏板１０は、図２に示すように、略長方形状を成し、長方形状の長辺となる一の長辺部１０１および他の長辺部１０２（いずれも例えば１００ｃｍ）、長方形状の短辺となる一の短辺部１０３および他の短辺部１０４（いずれも例えば２０ｃｍ）を有し、例えば硬質アルミニウム板材（例えば厚さ２ｍｍ）で形成されている。
【００２７】
踏板１０の一の長辺部１０１および他の長辺部１０２には、図２および図３に示すように、踏板１０の裏面１０ｒ側に略直角に折り曲げられた一の長辺縁部１０１ａおよび他の長辺縁部１０２ａ（折り曲げられた側縁の幅はいずれも例えば２７ｍｍ）が形成されており、また踏板１０の一の短辺部１０３および他の短辺部１０４には、同様に一の短辺縁部１０３ａおよび他の短辺縁部１０４ａが形成されている。これら長辺縁部および短辺縁部を設けることで、踏板１０の強度を増すとともに踏板１０の変形を防ぐことができる。
【００２８】
踏板１０は、更なる補強のため踏板１０の裏面１０ｒ側に３本の角パイプ１１（例えば２５ｍｍ角で厚さ２ｍｍの硬質アルミニウム角パイプ）が溶接されている（図２）。角パイプ１１は、踏板１０の長手方向の長さより若干短い長さを有しており、１本目は踏板１０の一の長辺縁部１０１ａの内側と略接するように溶接されており、２本目は踏板１０の他の長辺縁部１０２ａの内側と略接するように溶接されており、そして３本目は一の長辺縁部１０１ａと他の長辺縁部１０２ａとの中間部位に溶接されている。これら３本の角パイプ１１は、踏板１０と一体化されて踏板１０の強度を増すとともに踏板１０の変形を防ぐことができる。
【００２９】
なお３本の角パイプ１１の下面は、補強部３０Ａ、３０Ｂとの関係から、踏板１０の長辺縁部および短辺縁部の下端と同一位置に位置づけられることが好ましい。
【００３０】
＜踏板支持部および上部引掛け部＞
図４に示すように踏板支持部２０は、上端部２０１から下端部２０２の間が踏板支持平板部２０３となっており、その上端部２０１側に略コ字形状を成す上部引掛け部２１が形成されている。上部引掛け部２１は、踏板支持平板部２０３と直交する方向に延出した水平引掛け部２１１と、踏板支持平板部２０３と平行し且つ下側に向け延出した垂直引掛け部２１２を有している（水平引掛け部２１１は踏板支持部２０の上端部２０１と直引掛け部と２１２の上端との間に介在している。）。
【００３１】
踏板支持部２０および上部引掛け部２１は、例えば幅が５ｃｍで厚さ１０ｍｍの硬質アルミニウム板材で形成したものである。踏板支持部２０の長さ（上端部２０１と下端部２０２との間隔）は例えば約２４ｃｍであり、上部引掛け部２１の水平引掛け部２１１の長さは例えば７．５ｃｍであり、垂直引掛け部２１２の長さは例えば８ｃｍである。また踏板支持平板部２０３と垂直引掛け部２１２との間隔（踏板支持平板部２０３の裏面２０３ｒと垂直引掛け部２１２の裏面２１２ｒとの間隔）は例えば５．５ｃｍである。
【００３２】
踏板支持平板部２０３は踏板１０の上面１０ｓを含む平面と略直交する方向に配設されている。踏板支持部２０の上端部２０１側は、踏板支持平板部２０３の表面２０３ｓ側で踏板１０の一の長辺縁部１０１ａ（一の長辺部１０１側）と例えば溶接によって連結されている。上部引掛け部２１の水平引掛け部２１１は踏板１０と相対する側に位置づけられ、踏板支持部２０の下端部２０２は踏板１０の下方に位置づけられている。
【００３３】
作業用足場１は、図２および図３に示すように、踏板１０の一の長辺部１０１側におれる踏板１０の一の短辺部１０３の近傍、他の短辺部１０４の近傍、および一の短辺部１０３と他の短辺部１０４との中間の、３つの部位にそれぞれ踏板支持部２０が連結されている。
【００３４】
ここで上部引掛け部２１の水平引掛け部２１１の表面２１１ｓと、踏板１０の上面１０ｓとの高低差はできるだけ小さい方が好ましい（図４参照）。
【００３５】
＜緩衝部材＞
緩衝部材は、図５に示すように（図４も参照）、水平引掛け部２１１の裏面２１１ｒの全面、垂直引掛け部２１２の裏面２１２ｒの全面および踏板支持部２０の上端部２０１側における踏板支持平板部２０３の裏面２０３ｒには、上端部緩衝部材２２が取付けられている。また踏板支持部２０の下端部２０２側における踏板支持平板部２０３の裏面２０３ｒには下端部緩衝部材２３が取付けられている。この下端部緩衝部材２の長さは、例えば垂直引掛け部２１２の長さと略同等である。
【００３６】
上端部緩衝部材２２および下端部緩衝部材２３は、同一の厚さ、および同一の幅（例えば踏板支持部２０および上部引掛け部２１と同一幅で５ｃｍ）を有する、例えば硬質ゴム平板であり、例えば何れも接着剤等によって固着されている。また上端部緩衝部材２２および下端部緩衝部材２３は、その表面の摩擦係数が踏板支持部２０および上部引掛け部２１よりも大きいほうが好ましい。
【００３７】
＜補強部＞
補強部３０Ａ、３０Ｂは、図６（ａ）および（ｂ）に示すように、直角三角形状を成す三角アングルで構成されており、直角三角形状の底辺となる斜め辺部３０１、踏板１０側に位置づけられる踏板側辺部３０２（例えば１８．５ｃｍ）、踏板支持部２０側に位置づけられる支持部側辺部３０３（例えば２１ｃｍ）を有し、例えば硬質アルミニウム板材（例えば厚さ３ｍｍ）で形成されている。
【００３８】
補強部３０Ａは、図６（ａ）に示すように、斜め辺部３０１、踏板側辺部３０２および支持部側辺部３０３に、裏面３０ｒ側に略直角に折り曲げられた斜め縁部３０１ａ、踏板側縁部３０２ａおよび支持部側縁部３０３ａが形成されている（各縁部の幅はいずれも例えば５０ｍｍである。）。
【００３９】
図６（ｂ）に示すように、補強部３０Ａと補強部３０Ｂとは、表面３０ｓと裏面３０ｒとが逆となっており、補強部３０Ｂも、補強部３０Ａと同様に斜め辺部３０１、踏板側辺部３０２および支持部側辺部３０３には、裏面３０ｒ側に略直角に折り曲げられた斜め縁部３０１ａ、踏板側縁部３０２ａおよび支持部側縁部３０３ａが形成されている。
【００４０】
作業用足場１では、図５に示すように（図４も参照）、補強部３０Ａおよび補強部３０Ｂの支持部側縁部３０３ａは、踏板支持部２０が有する踏板支持平板部２０３の表面２０３ｓと溶接されており、また踏板側縁部３０２ａは、踏板１０の一の長辺縁部１０１ａの下端、および踏板１０の裏面１０ｒ側に溶接された３本の角パイプ１１と溶接されている。
【００４１】
かかる補強部３０Ａ、３０Ｂは、踏板１０にかかる加重をアオリ板と当接する踏板支持部２０に伝えることができる。そして補強部３０Ａ、３０Ｂが有する斜め縁部３０１ａ、踏板側縁部３０２ａおよび支持部側縁部３０３ａは、補強部３０Ａ、３０Ｂの強度を増すとともに、荷重による補強部３０Ａ、３０Ｂの変形を防いで、作業用足場１の強度を向上させることができる。
【００４２】
なお作業用足場１では、図３に示すように、踏板１０の他の短辺部１０４側に配設された踏板支持部２０には補強部３０Ａが溶接されており、踏板１０の一の短辺部１０３側に配設された踏板支持部２０には補強部３０Ｂが溶接されている。したがって作業用足場１の左右側方から補強部３０Ａ、３０Ｂの各縁部を目視することはできない（左右側方からの美観等を考慮したものである。）。また一の短辺部１０３と他の短辺部１０４との中間部位に配設された踏板支持部２０に溶接される補強部は補強部３０Ａ、３０Ｂの何れでもよいが、作業用足場１では補強部３０Ａが溶接されている。
【００４３】
＜荷台への取り付け等＞
作業員は、図７に示すように、アオリ板２の上縁２ａに作業用足場１の上部引掛け部２１を載置することで、アオリ板２に作業用足場１を取付けることができる。具体的には、作業用足場１の踏板１０がトラックのアオリ板２の外側になるようにし、踏板支持部２０が有する踏板支持平板部２０３の裏面２０３ｒと、上部引掛け部２１が有する垂直引掛け部２１２の裏面２１２ｒとの間に、アオリ板２の上縁２ａ側を挟み込むようにして作業用足場１を降下させる。
【００４４】
そうすると、上部引掛け部２１では、水平引掛け部２１１が上端部緩衝部材２２を介してアオリ板２の上縁２ａの上に載置され、垂直引掛け部２１２が上端部緩衝部材２２を介してアオリ板２の内側面（荷台側の面）２ｒと当接する。
【００４５】
このとき踏板支持部２０は、その下端部２０２側が下端部緩衝部材２３を介してアオリ板２の外側面２ｓと当接する一方、その上端部２０１側では、上端部緩衝部材２２とアオリ板２の上縁２ａ近傍の外側面２ｓとの間に若干のあそびが生じる（あそびは作業用足場１の重心がアオリ板２の外側に位置づけられることで生じる。）。このあそびは作業用足場１のアオリ板２への取り付けを容易にする。
【００４６】
こうして作業用足場１をアオリ板２に取り付けても、上端部緩衝部材２２と下端部緩衝部材２３とは厚さが同一だから、下端部緩衝部材２３は上端部緩衝部材２２とアオリ板２とのあそびを拡幅しない。したがって、仮に踏板１０を水平移動させる力が作用しても、踏板１０は殆ど水平移動することができず、荷役作業の安全性が向上する。
【００４７】
しかも、水平引掛け部２１１の裏面２１１ｒに位置する上端部緩衝部材２２は、アオリ板２の上縁２ａと接して、その摩擦力によって踏板１０の水平移動を防止する。さらに作業員が踏板１０に乗った場合には、作業員の体重によって、水平引掛け部２１１の裏面２１１ｒに位置する上端部緩衝部材２２が圧縮される結果、アオリ板２の上縁２ａは上端部緩衝部材２２に喰い込んで、踏板１０の水平移動は更に抑制される。
【００４８】
以上、本発明に係る荷台用足場について説明したが、本発明は、その趣旨を変更することなく適宜変形して実施することができる。
【００４９】
たとえば踏板支持部は、その上端部と下端部との間が平面でなくてもよい。なぜならば、踏板支持部の下端部側における垂直引掛け部側の面（踏板支持部の下端部側における裏面）が、踏板支持部の上端部側における垂直引掛け部側の面（踏板支持部の上端部側における裏面）を含む平面と略同一平面上に位置づけられていれば、踏板支持部の上端部側とアオリ板とのあそびは、踏板支持部の下端部側によって拡幅されないからである。
【００５０】
また荷台用足場は、踏板の一の短辺部側と他の短辺部側とに合計２つの踏板支持部を有していなくてもよい。たとえば、踏板の幅に対する踏板支持部の幅の比率が高ければ（例えば９０％程度）、踏板支持部が１つであっても、荷台用足場をアオリ板に安定した状態で取り付けることができるからである。
【００５１】
また補強部は三角アングルで構成されていなくてもよい。なぜならば、補強部は、踏板の他の長辺部側と踏板支持部の下端部側との間に介在して、踏板にかかる加重を、アオリ板と当接する踏板支持部の下端部側に伝えることができればよいからである。
【００５２】
ここで踏板の他の長辺部側とは、他の長辺部近傍に限定されず、踏板の一の長辺部よりも他の長辺部側に位置する部位である。なぜならば、かかる部位と踏板支持部の下端部側との間に介在する補強部は、踏板にかかる加重をアオリ板と当接する踏板支持部の下端部側に伝えることができるからである。
【００５３】
さらに荷台用足場は補強部を有しなくてもよい。なぜならば、踏板および踏板支持部が充分な剛性を有して連結されていれば、踏板は荷物を持った作業員の体重等に耐えることができるからである。
【００５４】
また緩衝部材は硬質ゴムに限定されない。緩衝部材は弾性を有し、アオリ板の上縁と上部引掛け部の水平引掛け部と間の滑りを防いで、踏板水平移動を防止することができればよいからである。
【００５５】
さらに荷台用足場は緩衝部材を有しなくてもよい。なぜならば、踏板支持部の下端部側における垂直引掛け部側の面（踏板支持部の下端部側における裏面）が、踏板支持部の上端部側における垂直引掛け部側の面（踏板支持部の上端部側における裏面）を含む平面と略同一平面上に位置づけられていれば、踏板支持部の上端部側とアオリ板とのあそびは、踏板支持部の下端部側によって拡幅されないからである。
【産業上の利用可能性】
【００５６】
本発明に係る荷台用足場は、工業的に製造等することができるから、また荷役作業に使用することができるから、そして商取引の対象とすることができるから、本発明は経済的価値を有して産業上の利用可能性を有する発明である。
【符号の説明】
【００５７】
１  作業用足場
２  アオリ板
１０  踏板
１０ｓ  踏板の上面
２０  踏板支持部
２１  上部引掛け部
２２、２３  緩衝部材
３０  補強部
１０１  踏板の一の長辺部
１０２  踏板の他の長辺部
１０３  踏板の一の短辺部
１０４  踏板の他の短辺部
２０１  踏板支持部の上端部
２０２  踏板支持部の下端部
２０３  踏板支持平板部
２０３ｒ  踏板支持部の垂直引掛け部側の面（踏板支持平板部の裏面）
２１１  上部引掛け部の水平引掛け部
２１１ｒ  上部引掛け部の水平引掛け部の下側面（水平引掛け部の裏面）
２１２  上部引掛け部の垂直引掛け部
２１２ｒ  垂直引掛け部における踏板支持部側の面（垂直引掛け部の裏面）
３０１  補強部の辺部（斜め辺部）
３０２  補強部の辺部（踏板側辺部）
３０３  補強部の辺部（支持部側辺部）
【図１】
2016078661.tif 000003
【図２】
2016078661.tif 000004
【図３】
2016078661.tif 000005
【図４】
2016078661.tif 000006
【図５】
2016078661.tif 000007
【図６】
2016078661.tif 000008
【図７】
2016078661.tif 000009
【図８】
2016078661.tif 000010